(57)【特許請求の範囲】
【請求項１】
固定電話の番号が割り当てられたネットワークに接続された通信装置であって、
所定の電話番号からの着信に応じて前記ネットワークに通信路を接続する端末に対し、前記固定電話の番号に対する着信に応じて前記所定の電話番号から発信する発信部と、
前記端末に対する発信の後、前記通信路を経由して接続される前記端末を含む前記ネットワークに接続された複数の端末に対し、フォーキングを行うことによって着信させる通知部と、
を備える通信装置。
【請求項２】
固定電話の番号が割り当てられたネットワークに接続された通信装置が行う通信方法であって、
所定の電話番号からの着信に応じて前記ネットワークに通信路を接続する端末に対し、前記固定電話の番号に対する着信に応じて前記所定の電話番号から発信する発信ステップと、
前記端末に対する発信の後、前記通信路を経由して接続される前記端末を含む前記ネットワークに接続された複数の端末に対し、フォーキングを行うことによって着信させる通知ステップと、
を有する通信方法。
【発明の詳細な説明】
【技術分野】
【０００１】
本発明は、着信に応じて内線電話端末を制御する技術に関する。
【背景技術】
【０００２】
従来、ＶＰＮ（Virtual Private Network）により移動体端末を内線電話システムに接続し、固定電話への着信を移動体端末でも受けることを可能とするシステムが提案されている。例えば特許文献１に開示された技術によって、上記のシステムが実現されている。このようなシステムでは、ユーザは移動体端末を携帯することによって固定電話への着信をどこでも受けることが可能となり、利便性が向上する。すなわち、従来は固定電話への着信は在宅時でなければ受けることができなかったが、外出先でも固定電話への着信を受けることが可能となっている。
【先行技術文献】
【特許文献】
【０００３】
【特許文献１】特開２００４−１８６７４７号公報
【発明の概要】
【発明が解決しようとする課題】
【０００４】
しかしながら、ＶＰＮにより移動体端末が内線電話システムに接続していない場合には、固定電話への着信を移動体端末で受けることができない。そのため、固定電話への着信を移動体端末で受けるためには、移動体端末を常にＶＰＮにより内線電話システムに接続していなければならないという問題があった。
【０００５】
上記事情に鑑み、本発明は、移動体端末を常にＶＰＮ接続していなくとも移動体端末にて固定電話への着信を受けることを可能とする技術を提供することを目的としている。
【課題を解決するための手段】
【０００６】
本発明の一態様は、固定電話の番号（例えば、実施形態における宅内固定番号）が割り当てられたネットワーク（例えば、実施形態における宅内ネットワーク１００）に接続された通信装置（例えば、実施形態におけるルータ１１０）であって、所定の電話番号（例えば、実施形態におけるＶＰＮ接続専用電話番号）からの着信に応じて前記ネットワークに通信路（例えば、実施形態におけるＶＰＮ接続）を接続する端末（例えば、実施形態における移動端末２１０）に対し、前記固定電話の番号に対する着信に応じて前記所定の電話番号から発信する発信部（例えば、実施形態におけるＳＩＰ制御部１１３及び転送制御部１１５）と、前記端末に対する発信の後、前記ネットワークに接続された端末に対し前記着信を通知する通知部（例えば、実施形態におけるＳＩＰ制御部１１３及び転送制御部１１５）と、を備える通信装置である。
【０００７】
本発明の一態様は、固定電話の番号が割り当てられたネットワークに接続された通信装置が行う通信方法であって、所定の電話番号からの着信に応じて前記ネットワークに通信路を接続する端末に対し、前記固定電話の番号に対する着信に応じて前記所定の電話番号から発信する発信ステップと、前記端末に対する発信の後、前記ネットワークに接続された端末に対し前記着信を通知する通知ステップ（例えば、実施形態におけるフォーキング）と、を有する通信方法である。
【発明の効果】
【０００８】
本発明により、移動体端末を常にＶＰＮ接続していなくとも移動体端末にて固定電話への着信を受けることが可能となる。
【図面の簡単な説明】
【０００９】
【図１】本発明の一実施形態である通信システム１のシステム構成を表すシステム構成図である。
【図２】通信システム１における初期設定の処理の流れを示すシーケンス図である。
【図３】通信システム１における着信処理の流れを示すシーケンス図である。
【図４】ルータ１１０の機能構成を示す概略ブロック図である。
【図５】設定情報テーブルの具体例を示す図である。
【図６】移動端末２１０の機能構成を示す概略ブロック図である。
【図７】端末用設定情報テーブルの具体例を示す図である。
【図８】通信システム１における初期設定の処理のうち、ルータ１１０及び移動端末２１０による処理の流れを示すフローチャートである。
【図９】ステップＳ３１の処理の詳細を示す図である。
【図１０】ステップＳ３２の処理の詳細を示す図である。
【図１１】ステップＳ４１の処理の詳細を示す図である。
【図１２】ステップＳ４２の処理の詳細を示す図である。
【図１３】通信システム１における着信処理のうち、ルータ１１０及び移動端末２１０による処理の流れを示すフローチャートである。
【図１４】ステップＳ６２の処理の詳細を示す図である。
【図１５】ステップＳ５１の処理の詳細を示す図である。
【発明を実施するための形態】
【００１０】
［システム概要］
図１は、本発明の一実施形態である通信システム１のシステム構成を表すシステム構成図である。通信システム１は、ルータ１１０、第一固定端末１２０、第二固定端末１３０、ＶＰＮサーバ１４０、移動端末２１０、通信網２０を備える。図１に示される各端末の数は一例にすぎない。例えば移動端末２１０が複数存在しても良いし、宅内ネットワーク１００が複数存在しても良いし、宅内ネットワーク１００に接続される固定端末は２台に限定されない。
【００１１】
通信網２０は、インターネットや電話網を含む。ルータ１１０、第一固定端末１２０、第二固定端末１３０、ＶＰＮサーバ１４０は、宅内ネットワーク１００に接続されている。ルータ１１０は、宅内ネットワーク１００と通信網２０とを接続する。第一固定端末１２０及び第二固定端末１３０は、宅内ネットワーク１００に常時接続されているＳＩＰ（Session Initiation Protocol）端末（以下、「固定ＳＩＰ端末」という。）である。移動端末２１０は、宅内ネットワーク１００に常時接続されているわけではなく、基地局やアクセスポイントを介して通信網２０に接続可能なＳＩＰ端末（以下、「移動ＳＩＰ端末」という。）である。
【００１２】
ルータ１１０と移動端末２１０は、通信網２０を介して通信可能である。移動端末２１０は、通信網２０及びルータ１１０を介してＶＰＮサーバ１４０と通信し、宅内ネットワーク１００に対してＶＰＮ接続することができる。ルータ１１０は、通信網２０に含まれる電話網を介して電話端末（発信側電話）から、予め宅内ネットワーク１００に割り当てられている固定電話の番号（以下、「宅内固定番号」という。）に対する着信を受ける。発信側電話は、例えばアナログ電話機、ＩＰ（Internet Protocol）電話機、携帯電話機、スマートフォン等の装置である。固定電話とは、有線式加入電話、共同電話、ＩＰ電話などの電話である。固定電話の番号とは、例えば０ＡＢ〜Ｊ方式の番号や、ＩＰ電話に割り当てられた番号（例えば“０５０”で始まる番号）である。
【００１３】
通信システム１では、移動端末２１０は、普段は宅内ネットワーク１００にＶＰＮ接続していない。移動端末２１０は、発信側電話から宅内固定番号宛ての着信があると、ルータ１１０が移動端末２１０に対して発信する。移動端末２１０は、ルータ１１０からの着信に応じてＶＰＮサーバ１４０にＶＰＮ接続を開始する。移動端末２１０とＶＰＮサーバ１４０との間でＶＰＮ接続が完了すると、ルータ１１０は宅内ネットワーク１００に接続されている各端末に対してフォーキングする。この時点では、宅内ネットワーク１００に移動端末２１０がＶＰＮ接続されているため、移動端末２１０にもフォーキングが届く。そのため、宅内固定番号宛ての着信が、宅内ネットワーク１００の第一固定端末１２０及び第二固定端末１３０に加えて、移動端末２１０にも届く。移動端末２１０のユーザは、移動端末２１０を操作することによって、宅内固定番号宛ての着信を移動端末２１０で受けることができる。
【００１４】
［システム詳細］
以下、通信システム１の詳細について説明する。
図２は、通信システム１における初期設定の処理の流れを示すシーケンス図である。初期設定では、ルータ１１０及び移動端末２１０に対する設定が行われる。まず、移動端末２１０のユーザは、移動端末２１０を操作することによって初期設定を行う（ステップＳ１０１）。具体的には、移動端末２１０には、ＶＰＮ接続専用電話番号、ＶＰＮ接続先ＩＰアドレス、ＶＰＮ接続ＩＤ、ＶＰＮ接続パスワードが入力される。移動端末２１０は、入力された各値を設定情報記憶部に記録する。次に、ユーザの操作に従って、移動端末２１０は設定されたＶＰＮ接続専用電話番号に発信する（ステップＳ１０２）。
【００１５】
ＶＰＮ接続専用電話番号は、ルータ１１０に割り当てられている電話番号である。そのため、ステップＳ１０２における移動端末２１０の発信により、ＩＮＶＩＴＥメッセージが通信網２０を介してルータ１１０に届く（ステップＳ１０３，Ｓ１０４）。ルータ１１０は、ＶＰＮ接続専用電話番号への着信があると、着信元の電話番号を記録する。移動端末２１０は、ルータ１１０に対する発信（発呼）が完了すると、呼を切断する。この切断は、例えばルータ１１０が自動的に行っても良いし、移動端末２１０が自動的に行っても良いし、ユーザが移動端末２１０を操作することによって行われても良い。
【００１６】
ルータ１１０は、ユーザによって管理画面の表示が行われると、移動端末２１０から着信があったことを管理画面に表示する。管理画面とは、ルータ１１０に対する各種の設定を行うための画面である。管理画面は、例えばユーザがパソコンのウェブブラウザを操作してルータ１１０のアドレスにアクセスすることによって表示される。管理画面には、着信のあった移動端末２１０の電話番号（発信元の電話番号）が認証待ち番号として表示される。ユーザは、管理画面において表示された認証待ちの電話番号が、宅内固定番号宛ての着信があった際にＩＮＶＩＴＥメッセージを転送しても良い移動端末の電話番号であるか否か判断する。ユーザは、ＩＮＶＩＴＥメッセージを転送しても良い移動端末であると判断すると、管理画面を操作して認証待ちの電話番号を認証する（ステップＳ１０５）。
【００１７】
ルータ１１０は、ステップＳ１０５において認証された電話番号（移動端末２１０の電話番号）に対して、ＶＰＮ接続専用電話番号から発信する（ステップＳ１０６）。この発信により、ＩＮＶＩＴＥメッセージが通信網２０を介して移動端末２１０に届く（ステップＳ１０７，Ｓ１０８）。移動端末２１０は、着信があると発信元の電話番号を参照する。発信元の電話番号と、ステップＳ１０１における初期設定で設定されたＶＰＮ接続専用電話番号とが一致すると（ステップＳ１０９）、移動端末２１０は、この着信に応じてＶＰＮサーバ１４０とＶＰＮ接続を開始する（ステップＳ１１０）。移動端末２１０が接続するＶＰＮサーバ１４０のＩＰアドレスや、ＶＰＮ接続に必要なＩＤ及びパスワードは、ステップＳ１０１の初期設定において設定されている。移動端末２１０からのＶＰＮ接続要求に応じて、移動端末２１０とＶＰＮサーバ１４０との間でＶＰＮ接続のための処理が行われる（ステップＳ１１１）。
【００１８】
ルータ１１０は、移動端末２１０とＶＰＮサーバ１４０との間でＶＰＮ接続が完了したことを確認すると（ステップＳ１１２）、移動端末２１０に関する情報を自身のデータベース（設定情報記憶部）に登録する（ステップＳ１１３）。ステップＳ１１２における確認はどのように行われても良い。例えば、ＶＰＮサーバがＶＰＮ接続完了後にルータ１１０に対して完了通知を送信することによって確認が行われても良い。また、定期的にルータ１１０がＶＰＮ接続を介してＡＲＰ（Address Resolution Protocol）リクエストを送信し、移動端末２１０からＡＲＰリプライを受信することによって確認が行われても良い。また、ユーザが移動端末２１０を操作することによってＶＰＮ接続が行われたことを確認し、ルータ１１０に対して確認が完了した旨の指示を入力しても良い。また、他の方法によって確認が行われても良い。以上の処理によって、図２に示された初期設定が完了する。
【００１９】
図３は、通信システム１における着信処理の流れを示すシーケンス図である。図３に示す着信処理は、図２に示される初期設定の処理が予め完了していることが前提となる。まず、発信側電話が宅内固定番号宛ての電話番号に発信を行う（ステップＳ２０１）。この発信により、ＩＮＶＩＴＥメッセージが通信網２０を介してルータ１１０に届く（ステップＳ２０２，Ｓ２０３）。
【００２０】
ルータ１１０は、ＩＮＶＩＴＥメッセージを受信すると（着信を受けると）、移動端末２１０へＶＰＮ接続専用電話番号から発信する（ステップＳ２０４）。この発信により、ＩＮＶＩＴＥメッセージが通信網２０を介して移動端末２１０に届く（ステップＳ２０５，Ｓ２０６）。移動端末２１０にＩＮＶＩＴＥメッセージが到達すると、移動端末２１０はルータ１１０に対し通信網２０を介してＲＩＮＧＩＮＧメッセージを送信する（ステップＳ２０７）。ルータ１１０は、ＲＩＮＧＩＮＧメッセージを受信することによって、移動端末２１０に着信が到達したことを確認する（ステップＳ２０８−１）。一方、移動端末２１０は、ＩＮＶＩＴＥメッセージを参照し、ＶＰＮ接続専用電話番号からの着信であると認識する（ステップＳ２０８−２）。移動端末２１０は、ＶＰＮ接続専用電話番号からの着信を受けたことに応じて、ＶＰＮ接続を開始する（ステップＳ２０９）。
【００２１】
移動端末２１０及びＶＰＮサーバ１４０は、ＶＰＮ接続処理を実行する（ステップＳ２１０）。ＶＰＮ接続の完了によって、移動端末２１０は宅内ネットワーク１００にＶＰＮ接続される。ルータ１１０は、ＶＰＮサーバ１４０と移動端末２１０との間でＶＰＮ接続が完了したことを確認すると（ステップＳ２１１）、宅内ネットワーク１００に接続された各端末に対してフォーキングする（ステップＳ２１２）。このフォーキングにより、ＩＮＶＩＴＥメッセージが第一固定端末１２０、第二固定端末１３０、移動端末２１０に届く（ステップＳ２１３）。第一固定端末１２０、第二固定端末１３０、移動端末２１０は、ＩＮＶＩＴＥメッセージを受信すると、ルータ１１０に対しＲＩＮＧＩＮＧメッセージを送信する（ステップＳ２１４）。ルータ１１０は、第一固定端末１２０、第二固定端末１３０、移動端末２１０のうち、少なくとも一台の端末からＲＩＮＧＩＮＧメッセージを受信すると、通信網２０を介して発信側電話に対しＲＩＮＧＩＮＧメッセージを送信する（ステップＳ２１５，Ｓ２１６）。
【００２２】
移動端末２１０がオフフックとなると（ステップＳ２１７）、移動端末２１０はルータ１１０に対しＯＫメッセージを送信する（ステップＳ２１８）。ルータ１１０は、第一固定端末１２０、第二固定端末１３０、移動端末２１０のうち、少なくとも一台の端末からＯＫメッセージを受信すると、通信網２０を介して発信側電話に対しＯＫメッセージを送信する（ステップＳ２１９，Ｓ２２０）。発信側電話は、ＯＫメッセージを受信すると、オフフックとなった端末（この場合は移動端末２１０）に対し、ＡＣＫメッセージを送信する（ステップＳ２２１）。その後、発信側電話と、オフフックとなった端末（移動端末２１０）との間で通話が可能となる（ステップＳ２２２）。以上の処理によって、図３に示された処理が完了する。
【００２３】
図４は、ルータ１１０の機能構成を示す概略ブロック図である。ルータ１１０は、第一通信部１１１、第二通信部１１２、ＳＩＰ制御部１１３、設定情報記憶部１１４、転送制御部１１５、中継部１１６を備える。
第一通信部１１１は、通信網２０に接続される。第一通信部１１１は、通信網２０からデータを受信すると、受信したデータをＳＩＰ制御部１１３及び中継部１１６に出力する。また、第一通信部１１１は、ＳＩＰ制御部１１３又は中継部１１６からデータを受信すると、受信したデータを通信網２０へ送信する。
【００２４】
第二通信部１１２は、宅内ネットワーク１００に接続される。第二通信部１１２は、宅内ネットワーク１００からデータを受信すると、受信したデータをＳＩＰ制御部１１３及び中継部１１６に出力する。また、第二通信部１１２は、ＳＩＰ制御部１１３又は中継部１１６からデータを受信すると、受信したデータを宅内ネットワーク１００へ送信する。
ＳＩＰ制御部１１３は、ＳＩＰに関する処理を行う。
【００２５】
設定情報記憶部１１４は、磁気ハードディスク装置や半導体記憶装置などの記憶装置を用いて構成される。設定情報記憶部１１４は、設定情報テーブルを記憶する。図５は、設定情報テーブルの具体例を示す図である。設定情報テーブルは、端末ＩＤ、端末種別情報、ローカルＩＰアドレス、着信用電話番号、ＶＰＮ接続用電話番号、ＶＰＮ接続先電話番号の各項目の値を有したレコード４１を複数有している。
【００２６】
端末ＩＤは、各端末（固定ＳＩＰ端末及び移動ＳＩＰ端末）に対して割り当てられている識別情報である。端末種別情報は、端末の種別を表す情報である。“１”は、端末の種別が固定ＳＩＰ端末であることを示す。“２”は、端末の種別が移動ＳＩＰ端末であることを示す。ローカルＩＰアドレスは、端末のローカルＩＰアドレスを示す。着信用電話番号は、宅内ネットワーク１００に対して割り当てられている固定電話の番号（宅内固定番号）を示す。ＶＰＮ接続専用電話番号は、ルータ１１０が移動端末２１０へ発信する際に用いる発信元の電話番号である。上述したように、ルータ１１０は、発信側電話から着信（ＩＮＶＩＴＥメッセージ）が届いた際に、ＶＰＮ接続専用電話番号を用いて移動端末２１０へ発信する。ＶＰＮ接続先電話番号は、移動端末２１０の電話番号を示す。なお、端末種別情報が“１”であるレコード４１では、ＶＰＮ接続専用電話番号及びＶＰＮ接続先電話番号は不要であるため、これらの値は記録されない。各レコード４１は、転送制御部１１５によって生成され、設定情報テーブルに登録される。
【００２７】
図４に戻って説明を続ける。転送制御部１１５は、受信されたＩＮＶＩＴＥメッセージの発信元の番号を参照する。転送制御部１１５は、発信元の番号に応じて処理を行う。転送制御部１１５の処理の詳細は後述する。
中継部１１６は、ルータとしての中継処理を行う。すなわち、中継部１１６は、第一通信部１１１及び第二通信部１１２によって受信されたデータのヘッダの宛先に応じた中継処理を行う。
【００２８】
図６は、移動端末２１０の機能構成を示す概略ブロック図である。移動端末２１０は、通信部２１１、入力部２１２、表示部２１３、音声出力部２１４、制御部２１５、ＶＰＮ制御部２１６、ＳＩＰ制御部２１７、設定情報記憶部２１８、転送制御部２１９を備える。
通信部２１１は、基地局やアクセスポイントを介して通信網２０に接続される。通信部２１１は、通信網２０からデータを受信すると、受信したデータを制御部２１５に出力する。また、通信部２１１は、制御部２１５からデータを受信すると、受信したデータを通信網２０へ送信する。
【００２９】
入力部２１２は、キーボード、ポインティングデバイス（マウス、タブレット等）、ボタン、タッチパネル等の既存の入力装置を用いて構成される。入力部２１２は、ユーザの指示を移動端末２１０に入力する際にユーザによって操作される。入力部２１２は、入力装置を移動端末２１０に接続するためのインタフェースであっても良い。この場合、入力部２１２は、入力装置においてユーザの入力に応じ生成された入力信号を移動端末２１０に入力する。
【００３０】
表示部２１３は、液晶ディスプレイ、有機ＥＬ（Electro Luminescence）ディスプレイ等の画像表示装置である。表示部２１３は、テキストデータや画像データを表示する。表示部２１３は、画像表示装置を移動端末２１０に接続するためのインタフェースであっても良い。この場合、表示部２１３は、テキストデータや画像データを表示するための映像信号を生成し、自身に接続されている画像表示装置に映像信号を出力する。
【００３１】
音声出力部２１４は、スピーカーやヘッドホンやイヤホン等の音声出力装置である。音声出力部２１４は、音声出力装置を移動端末２１０に接続するためのインタフェースであっても良い。この場合、音声出力部２１４は、音声データを音声出力するための音声信号を生成し、自身に接続されている音声出力装置に音声信号を出力する。
制御部２１５は、移動端末２１０の動作を制御する。例えば、制御部２１５は、入力部２１２、表示部２１３、音声出力部２１４の動作を制御する。
【００３２】
ＶＰＮ制御部２１６は、ＶＰＮサーバ１４０との間でＶＰＮ接続に関する処理を行う。
ＳＩＰ制御部２１７は、ＳＩＰに関する処理を行う。
設定情報記憶部２１８は、磁気ハードディスク装置や半導体記憶装置などの記憶装置を用いて構成される。設定情報記憶部２１８は、端末用設定情報テーブルを記憶する。図７は、端末用設定情報テーブルの具体例を示す図である。端末用設定情報テーブルは、端末ＩＤ、端末種別情報、ローカルＩＰアドレス、着信用電話番号、ＶＰＮ接続用電話番号、ＶＰＮ接続先電話番号、ＶＰＮサーバＩＰアドレス、ＶＰＮ接続用ＩＤ、ＶＰＮ接続用パスワードの各項目の値を有したレコードを有している。ＶＰＮサーバＩＰアドレスは、ＶＰＮサーバ１４０のＩＰアドレスを示す。ＶＰＮ接続用ＩＤ及びＶＰＮ接続用パスワードは、それぞれＶＰＮサーバ１４０にＶＰＮ接続する際の認証に用いられるＩＤ及びパスワードを示す。
【００３３】
図６に戻って説明を続ける。転送制御部２１９は、受信されたＩＮＶＩＴＥメッセージの発信元の番号を参照する。転送制御部２１９は、発信元の番号に応じて処理を行う。転送制御部２１９の処理の詳細は後述する。
図８は、通信システム１における初期設定の処理のうち、ルータ１１０及び移動端末２１０による処理の流れを示すフローチャートである。図８において、左側が移動端末２１０の処理の流れを示し、右側がルータ１１０の処理の流れを示す。まず、移動端末２１０において登録情報の入力がなされる（ステップＳ３１）。
【００３４】
図９は、ステップＳ３１の処理の詳細を示す図である。ステップＳ３１の処理では、ユーザが入力部２１２を操作して、ＶＰＮ接続専用電話番号、ＶＰＮ接続先ＩＰアドレス、ＶＰＮ接続用ＩＤ、ＶＰＮ接続用パスワードを移動端末２１０に入力する（ステップＳ３１１，Ｓ３１２，Ｓ３１３，Ｓ３１４）。転送制御部２１９は、入力されたＶＰＮ接続専用電話番号、ＶＰＮ接続先ＩＰアドレス、ＶＰＮ接続用ＩＤ、ＶＰＮ接続用パスワードを対応付けて設定情報記憶部２１８に登録する。
【００３５】
図８に戻って説明を続ける。ステップＳ３１の次に、移動端末２１０のＳＩＰ制御部２１７は、ＶＰＮ接続専用電話番号に対して発信する（ステップＳ３２）。図１０は、ステップＳ３２の処理の詳細を示す図である。ステップＳ３２の処理では、まず転送制御部２１９が端末用設定情報テーブルからＶＰＮ接続専用電話番号を読み出す（ステップＳ３２１）。
【００３６】
次に、転送制御部２１９は、読み出したＶＰＮ接続専用電話番号に対して発信することをＳＩＰ制御部２１７に指示する。ＳＩＰ制御部２１７は、転送制御部２１９の指示に従って、ＶＰＮ接続専用電話番号に対して発信する（ステップＳ３２２）。ＳＩＰ制御部２１７は、着信したか否か判定し、判定結果を転送制御部２１９に通知する（ステップＳ３２３）。着信しなかった場合は、転送制御部２１９は、ＶＰＮ接続専用電話番号の宛先（ルータ１１０）への発信が失敗したと判定する。一方、着信した場合は、転送制御部２１９は、ＶＰＮ接続専用電話番号の宛先（ルータ１１０）への発信が成功したと判定する。この後、ＳＩＰ制御部２１７は、発信を停止し呼を切断する。
【００３７】
図８に戻って説明を続ける。ステップＳ３２の次に、ルータ１１０において移動端末２１０の認証が行われる（ステップＳ４１）。図１１は、ステップＳ４１の処理の詳細を示す図である。ステップＳ４１の処理では、まずルータ１１０のＳＩＰ制御部１１３が移動端末２１０からＩＮＶＩＴＥメッセージを受信する（着信：ステップＳ４１１）。
【００３８】
ＳＩＰ制御部２１７はＩＮＶＩＴＥメッセージを受信すると、受信したＩＮＶＩＴＥメッセージの発信先の番号及び発信元の番号を転送制御部１１５に通知する。転送制御部１１５は、発信先の番号がＶＰＮ接続専用電話番号であるか否か判定する（ステップＳ４１２）。なお、ＶＰＮ接続専用電話番号は、ルータ１１０に対して予め登録されている。発信先の番号がＶＰＮ接続専用電話番号でない場合（ステップＳ４１２−ＮＯ）、転送制御部１１５はエラーを出力し、移動端末２１０の認証はなされない。一方、発信先の番号がＶＰＮ接続専用電話番号である場合（ステップＳ４１２−ＹＥＳ）、転送制御部１１５は、発信元の番号を認証待ち番号として設定情報記憶部１１４に登録する。この登録により、移動端末２１０の電話番号は認証待ち状態へ遷移する（ステップＳ４１３）。
【００３９】
転送制御部１１５は、管理画面の表示がなされる場合に、認証待ち番号を設定情報記憶部１１４から読み出し表示する（ステップＳ４１４）。認証待ち番号が表示されている状態の管理画面を、認証画面と呼ぶ。認証画面が表示されると、ユーザは認証待ち番号について認証するか否か指示を入力する。ユーザによる指示に応じて、認証がなされる（ステップＳ４１５）。認証がなされると（ステップＳ４１５−ＹＥＳ）、図８に示されるステップＳ４２に処理が進む。一方、認証がなされない場合（ステップＳ４１５−ＮＯ）、図８に示される処理は先に進まない。
【００４０】
図８に戻って説明を続ける。ステップＳ４１の次に、ルータ１１０及び移動端末２１０はＶＰＮ接続確認処理を行う（ステップＳ４２）。図１２は、ステップＳ４２の処理の詳細を示す図である。図１２では、左側がルータ１１０の処理を表し、右側が移動端末２１０の処理を表す。
ステップＳ４２の処理では、まずルータ１１０の転送制御部１１５が、ＶＰＮ接続専用電話番号を設定情報記憶部１１４から読み出す（ステップＳ３３１）。そして、転送制御部１１５は、ＶＰＮ接続専用電話番号を発信元番号として、認証された電話番号に対して発信することをＳＩＰ制御部１１３に指示する。ＳＩＰ制御部１１３は、転送制御部１１５の指示に従って、ＶＰＮ接続専用電話番号を発信元番号として、認証された電話番号に対して発信する（ステップＳ３３２）。
【００４１】
次に、移動端末２１０のＳＩＰ制御部２１７が、ルータ１１０からＩＮＶＩＴＥメッセージを受信する（着信：ステップＳ４２１）。転送制御部２１９は、ＳＩＰ制御部２１７によって受信されたＩＮＶＩＴＥメッセージの着信が、ＶＰＮ接続専用電話番号からの着信であるか判定する（ステップＳ４２２）。ＶＰＮ接続専用電話番号からの着信ではない場合（ステップＳ４２２−ＮＯ）、ルータ１１０での移動端末２１０の認証は完了せず、図８に示される処理は先に進まない。
【００４２】
一方、ＶＰＮ接続専用電話番号からの着信である場合（ステップＳ４２２−ＹＥＳ）、転送制御部２１９は、設定情報記憶部２１８からＶＰＮ接続情報を読み出す（ステップＳ４２３）。ＶＰＮ接続情報とは、ＶＰＮサーバ１４０にＶＰＮ接続する際に必要となる情報であり、例えばＶＰＮサーバＩＰアドレス、ＶＰＮ接続用ＩＤ、ＶＰＮ接続用パスワードである。転送制御部２１９は、読み出したＶＰＮ接続情報に基づいてＶＰＮ接続を行うことをＶＰＮ制御部２１６に指示する。ＶＰＮ制御部２１６は、転送制御部２１９の指示に従って、ＶＰＮサーバ１４０へのＶＰＮ接続を開始する（ステップＳ４２４）。そして、移動端末２１０とＶＰＮサーバ１４０とのＶＰＮ接続が完了する（ステップＳ４２５）。
【００４３】
ルータ１１０の転送制御部１１５は、移動端末２１０とＶＰＮサーバ１４０との間でＶＰＮ接続が完了したか否か所定のタイミングで判定する。例えば、転送制御部１１５は１０秒毎に判定を行う（ステップＳ３３３，Ｓ３３４）。ＶＰＮ接続の完了が確認されると（ステップＳ３３４−ＹＥＳ）、図８に示されるステップＳ４３に処理が進む。
【００４４】
図８に戻って説明を続ける。ステップＳ４２の次に、ルータ１１０の転送制御部１１５は、認証された電話番号をＶＰＮ接続先電話番号とする新たなレコード４１を生成し、設定情報テーブルに登録する（ステップＳ４３）。
以上により、初期設定の処理が完了する。
【００４５】
図１３は、通信システム１における着信処理のうち、ルータ１１０及び移動端末２１０による処理の流れを示すフローチャートである。図１３において、左側が移動端末２１０の処理の流れを示し、右側がルータ１１０の処理の流れを示す。まず、ルータ１１０のＳＩＰ制御部１１３が発信側電話からＩＮＶＩＴＥメッセージを受信する（着信：ステップＳ６１）。発信側電話からの着信に応じて、転送制御部１１５は移動端末２１０へ発信する（ステップＳ６２）。図１４は、ステップＳ６２の処理の詳細を示す図である。
【００４６】
ステップＳ６２の処理では、まず転送制御部１１５が発信側電話からの着信における発信先の電話番号を参照し、設定情報テーブルにおいて着信用電話番号と一致し且つ端末種別情報が“２”であるレコード４１を検索する（ステップＳ６２１）。転送制御部１１５は、検索されたレコード４１のＶＰＮ接続先電話番号に対して、ＶＰＮ接続専用電話番号を発信元の番号として発信することをＳＩＰ制御部１１３に指示する。ＳＩＰ制御部１１３、転送制御部１１５の指示に従って、検索されたレコード４１のＶＰＮ接続先電話番号に対して、ＶＰＮ接続専用電話番号を発信元の番号として発信する（ステップＳ６２２）。
【００４７】
図１３に戻って説明を続ける。移動端末２１０は、ルータ１１０からの着信に応じてＶＰＮ接続を行う（ステップＳ５１）。図１５は、ステップＳ５１の処理の詳細を示す図である。ステップＳ５１の処理では、移動端末２１０のＳＩＰ制御部２１７が、ルータ１１０からＩＮＶＩＴＥメッセージを受信する（着信：ステップＳ５１１）。転送制御部２１９は、ＳＩＰ制御部２１７によって受信されたＩＮＶＩＴＥメッセージの着信が、ＶＰＮ接続専用電話番号からの着信であるか判定する（ステップＳ５１２）。ＶＰＮ接続専用電話番号からの着信ではない場合（ステップＳ５１２−ＮＯ）、ＳＩＰ制御部２１７は通常の着信処理を行う。例えば、ＳＩＰ制御部２１７は、音声出力部２１４から着信音を出力し、表示部２１３に着信画面を表示させる。そして、ＳＩＰ制御部２１７は、入力部２１２によるオフフック指示に応じてオフフック状態に遷移する。
【００４８】
一方、ＶＰＮ接続専用電話番号からの着信である場合（ステップＳ５１２−ＹＥＳ）、転送制御部２１９は、着信番号（ＶＰＮ接続専用電話番号）に応じたＶＰＮ接続情報を設定情報記憶部２１８から読み出す（ステップＳ５１３）。ＶＰＮ接続情報とは、ＶＰＮサーバ１４０にＶＰＮ接続する際に必要となる情報であり、例えばＶＰＮサーバＩＰアドレス、ＶＰＮ接続用ＩＤ、ＶＰＮ接続用パスワードである。転送制御部２１９は、読み出したＶＰＮ接続情報に基づいてＶＰＮ接続を行うことをＶＰＮ制御部２１６に指示する。ＶＰＮ制御部２１６は、転送制御部２１９の指示に従って、ＶＰＮサーバ１４０へのＶＰＮ接続を開始する（ステップＳ５１４）。そして、移動端末２１０とＶＰＮサーバ１４０とのＶＰＮ接続が完了する（ステップＳ５１５）。
【００４９】
図１３に戻って説明を続ける。ルータ１１０の転送制御部１１５は、ステップＳ６２の処理の後、所定の時間以内に移動端末２１０に対する着信がなされた場合（ステップＳ６３−ＹＥＳ）、移動端末２１０とＶＰＮサーバ１４０との間でＶＰＮ接続が完了したか否か所定のタイミングで判定する（ステップＳ６４）。例えば、転送制御部１１５は１０秒毎に判定を行っても良い。ＶＰＮ接続の完了が確認された場合、又は発信後所定の時間以内に移動端末２１０に対する着信がなされなかった場合（ステップＳ６３−ＮＯ）、転送制御部１１５は、ＳＩＰ制御部１１３に対しフォーキング処理の実行を指示する。ＳＩＰ制御部１１３は、転送制御部１１５の指示に従って、宅内ネットワーク１００に接続されている各端末に対しフォーキングを行う（ステップＳ６５）。このフォーキングに応じて、宅内ネットワーク１００の第一固定端末１２０及び第二固定端末１３０は、発信側電話からの着信を受ける。また、フォーキングが実行されるまでに移動端末２１０とＶＰＮサーバ１４０との間でＶＰＮ接続が完了していた場合、移動端末２１０に対してもフォーキングが行われる。そのため、移動端末２１０は発信側電話からの着信を受けることができる（ステップＳ５２）。
【００５０】
以上のように構成された通信システム１では、移動端末２１０（移動体端末）を常に宅内ネットワーク１００に対してＶＰＮ接続していなくとも、移動端末２１０にて宅内固定番号への着信（固定電話への着信）を受けることが可能となる。したがって、ユーザは宅内固定番号への着信の有無を気にすることなく、移動端末２１０を携帯して宅内ネットワーク１００から物理的に離れることが可能となる。
【００５１】
また、従来の転送システムでは、宅内ネットワーク１００に継続的に接続されている第一固定端末１２０及び第二固定端末１３０と、宅内ネットワーク１００にＶＰＮ接続で接続される移動端末２１０とのうち、いずれか一方にしか宅内固定番号への着信をさせることができない場合があった。これに対し、上述した通信システム１では、宅内固定番号への着信は、宅内ネットワーク１００に継続的に接続されている第一固定端末１２０及び第二固定端末１３０と、宅内ネットワーク１００にＶＰＮ接続で接続される移動端末２１０との双方に対して、ほぼ同じタイミングで行われる。
【００５２】
＜変形例＞
一つの宅内ネットワーク１００に対し、複数の宅内固定番号が予め設定されていても良い。この場合、ルータ１１０の設定情報記憶部１１４が記憶する設定情報テーブルには、複数種の宅内固定番号が設定されたレコード４１が登録される。この場合、宅内固定番号に応じて、フォーキング先となる端末が変わるように設定されても良い。例えば、宅内固定番号及び移動端末２１０がそれぞれ複数存在する場合には、宅内固定番号に応じてルータ１１０が発信する先となる移動端末２１０が変化しても良い。
【００５３】
また、複数種の宅内固定番号が設定される場合には、宅内固定番号に応じて、ＶＰＮ接続専用電話番号が変わるように設定されても良い。例えば、宅内固定番号に応じてルータ１１０が発信する際に用いるＶＰＮ接続専用電話番号が変化しても良い。この場合さらに、移動端末２１０の設定情報記憶部２１８が記憶する端末用設定情報テーブルは、複数のレコードを有しても良い。例えば、端末用設定情報テーブルは、ＶＰＮ接続専用電話番号とＶＰＮサーバＩＰアドレスとの組合せが異なるレコードを複数有しても良い。このように構成されることにより、移動端末２１０は着信のあった宅内固定番号に応じて異なるＶＰＮサーバ１４０に接続することが可能となる。
【００５４】
ＶＰＮサーバ１４０は、移動端末２１０と宅内ネットワーク１００とがＶＰＮ接続によって互いに通信可能であれば、宅内ネットワーク１００の外部に設置されても良い。例えば、ルータ１１０がＮＧＮ（Next Generation Network）を介してインターネットに接続されるように構成されている場合は、ＶＰＮサーバ１４０はＮＧＮに接続されても良い。また、技術的に確立されている場合には、ＶＰＮサーバ１４０はインターネットに接続されても良い。このようにＶＰＮサーバ１４０が宅内ネットワーク１００の外部に設置されている場合、例えば移動端末２１０のみならずルータ１１０もＶＰＮサーバ１４０に接続することによってＶＰＮ接続が確立されても良い。より具体的には以下の通りである。
【００５５】
ルータ１１０の設定情報記憶部１１４が記憶する設定情報テーブルの各レコード４１は、ＶＰＮ接続情報の各項目の値を有する。また、ルータ１１０は、ＶＰＮサーバ１４０に対してＶＰＮ接続を行うためのＶＰＮ制御部をさらに備える。
ルータ１１０の転送制御部１１５は、図１２のステップＳ３３２の処理において所定の時間以内に移動端末２１０に対する着信がなされた場合、ステップＳ３３３以降の処理を行う前にＶＰＮサーバ１４０に対するＶＰＮ接続を行うことをＶＰＮ制御部に指示する。ルータ１１０のＶＰＮ制御部は、転送制御部１１５の指示に従って、ＶＰＮサーバ１４０に対しＶＰＮ接続を行う。そして、転送制御部１１５は、ＶＰＮ接続が完了した後に、ＶＰＮ接続確認（ステップＳ３３３，Ｓ３３４）を行う。
【００５６】
ルータ１１０の転送制御部１１５は、図１４のステップＳ６３の処理において所定の時間以内に移動端末２１０に対する着信がなされた場合（ステップＳ６３−ＹＥＳ）、ステップＳ６４の処理を行う前にＶＰＮサーバ１４０に対するＶＰＮ接続を行うことをＶＰＮ制御部に指示する。ルータ１１０のＶＰＮ制御部は、転送制御部１１５の指示に従って、ＶＰＮサーバ１４０に対しＶＰＮ接続を行う。そして、転送制御部１１５は、ＶＰＮ接続が完了した後に、ＶＰＮ接続確認（ステップＳ６４）を行う。
【００５７】
ルータ１１０とＶＰＮサーバ１４０は一体に構成されても良い。
通信システム１では、発信側電話とルータ１１０と各端末（第一固定端末１２０、第二固定端末１３０、移動端末２１０）とは、互いにＳＩＰを用いてセッションの確立を行っている。しかし、通信システム１に適用されるセッション確立のためのプロトコルは、ＳＩＰに限定される必要は無い。
通信システム１では、移動端末２１０が宅内ネットワーク１００に接続する際に用いるプロトコルとしてＶＰＮが用いられている。しかし、移動端末２１０が宅内ネットワーク１００に接続するために使用されるプロトコルは、ＶＰＮに限定される必要は無い。
【００５８】
以上、この発明の実施形態について図面を参照して詳述してきたが、具体的な構成はこの実施形態に限られるものではなく、この発明の要旨を逸脱しない範囲の設計等も含まれる。
【符号の説明】
【００５９】
１…通信システム，  ２０…通信網，  １００…宅内ネットワーク，  １１０…ルータ，  １２０…第一固定端末，  １３０…第二固定端末，  １４０…ＶＰＮサーバ，  ２１０…移動端末，  １１１…第一通信部，  １１２…第二通信部，  １１３…ＳＩＰ制御部，  １１４…設定情報記憶部，  １１５…転送制御部，  １１６…中継部，  ２１１…通信部，  ２１２…入力部，  ２１３…表示部，  ２１４…音声出力部，  ２１５…制御部，  ２１６…ＶＰＮ制御部，  ２１７…ＳＩＰ制御部，  ２１８…設定情報記憶部，  ２１９…転送制御部
【図１】
0005938743.tif 000002
【図２】
0005938743.tif 000003
【図３】
0005938743.tif 000004
【図４】
0005938743.tif 000005
【図５】
0005938743.tif 000006
【図６】
0005938743.tif 000007
【図７】
0005938743.tif 000008
【図８】
0005938743.tif 000009
【図９】
0005938743.tif 000010
【図１０】
0005938743.tif 000011
【図１１】
0005938743.tif 000012
【図１２】
0005938743.tif 000013
【図１３】
0005938743.tif 000014
【図１４】
0005938743.tif 000015
【図１５】
0005938743.tif 000016